(57)【要約】【課題】  ＢＳデジタル放送や地上デジタル放送で放送されている、ＳＤ映像信号をＨＤ映像信号にアップコンバートした映像に含まれるコーミングノイズを低減する。【解決手段】  入力された映像信号がコーミングノイズを含むアップコンバート映像であるか検出し、前記条件を満たした場合、アップコンバートされる前のＳＤ映像信号程度まで縮小処理を行うことにより、コーミングノイズを含む画素の削減を行い、コーミングノイズの低減を行う。【選択図】図１
2010081461.tif 000002
【特許請求の範囲】
【請求項１】
入力された映像信号を処理するための映像信号処理装置において、
前記入力映像信号からコーミングノイズに関する情報を検出する検出手段と、
前記入力映像信号の画素数を変換するためのスケーリング手段と、
前記検出手段の検出結果に基づいて前記入力映像信号に前記コーミングノイズに関する情報が含まれるかを判定し、含まれると判定した場合に前記スケーリング手段を制御して前記入力映像信号の画素数を低減するための縮小処理を実行させる制御手段と、
を備えることを特徴とする映像信号処理装置。
【請求項２】
請求項１に記載の映像信号処理装置において、前記検出手段は、コーミングノイズに関する情報として、前記入力映像信号に含まれるコーミングノイズの量を検出することを特徴とする映像信号処理装置。
【請求項３】
請求項２に記載の映像信号処理装置において、前記制御手段は、前記検出されたコーミングノイズの量が所定値以上である場合に、前記入力映像信号に前記コーミングノイズに関する情報が含まれると判定して前記スケーリング回路に前記縮小処理を実行させることを特徴とする映像信号処理装置。
【請求項４】
請求項２に記載の映像信号処理装置において、更に、前記入力映像信号の種別を検出する映像種別検出手段を備え、
前記検出されたコーミングノイズの量が所定値以上であり、且つ前記映像種別検出手段で検出された前記映像信号の種別が、ＳＤ映像信号をＨＤ映像信号にアップコンバートしたアップコンバートのＨＤ映像信号である場合に、前記制御手段は、前記スケーリング回路に前記縮小処理を実行させることを特徴とする映像信号処理装置。
【請求項５】
請求項４に記載の映像信号処理装置において、更に、前記映像種別検出手段は、前記入力映像信号がインタレース形式かを検出し、
前記検出されたコーミングノイズの量が所定値以上であり、前記映像種別検出手段で検出された前記映像信号の種別が前記アップコンバートのＨＤ映像信号で、且つインタレース形式である場合に、前記制御手段は、前記スケーリング回路に前記縮小処理を実行させることを特徴とする映像信号処理装置。
【請求項６】
入力されたデジタル映像信号を処理するための映像信号処理装置において、
前記入力デジタル映像信号にコーミングノイズが含まれているかを検出する第１の検出手段と、
前記入力デジタル映像信号がＳＤ映像信号からＨＤ映像信号に変換されたアップコンバート映像信号であるかを検出する第２の検出手段と、
前記入力デジタル映像信号の信号フォーマットを検出する第３の検出手段と、
前記入力デジタル映像信号を水平方向、垂直方向に縮小する第１のスケーリング手段と、
前記第１のスケーリング手段から出力されたデジタル映像信号を入力とし、インタレース映像信号をプログレッシブ映像信号に変換するＩＰ変換手段と、
前記ＩＰ変換手段から出力された映像信号を水平方向、垂直方向に縮小／拡大が可能な第２のスケーリング手段と、
前記第１、第２、第３の検出手段の検出結果に基づいて、前記第１のスケーリング手段と、ＩＰ変換手段と、第２のスケーリング手段と、を制御するシステム制御手段を備え、
前記システム制御手段は、前記第１の検出手段によって前記入力デジタル映像信号に前記コーミングノイズが含まれると検出され、前記第２の検出手段によって前記入力デジタル映像信号が前記アップコンバート映像信号であると検出され、且つ前記第３の検出手段によって前記入力デジタル映像信号がインタレース映像信号であると検出された場合に、前記入力デジタル映像信号に対し画素数を低減させる縮小処理を行うように前記第１のスケーリング手段を制御し、更に前記ＩＰ変換手段を制御して該縮小処理された映像信号をプログレッシブ映像信号に変換するように制御することを特徴とする映像信号処理装置。
【請求項７】
請求項６に記載の映像信号処理装置において、前記システム制御手段は、前記第１、第２、第３の検出手段の検出結果が所定時間変化しない場合に前記制御を行うことを特徴とする映像信号処理装置。
【請求項８】
請求項６に記載の映像信号処理装置において、更に、前記第２のスケーリング手段からの出力信号に基づき映像の表示を行う表示部を備え、
前記第２のスケーリング手段は、前記第１のスケーリング手段で縮小処理され、且つ前記ＩＰ変換手段でプログレッシブ映像信号に変換された信号に対し、前記表示部の解像度に対応した画素数に拡大または縮小処理を実行することを特徴とする映像信号処理装置。
【請求項９】
入力された映像信号を処理するための映像信号処理装置において、
前記入力映像信号の種別を検出する映像種別検出手段と、
前記入力映像信号の画素数を変換するためのスケーリング手段と、
前記映像種別検出手段によって、前記入力映像信号がＳＤ映像信号からＨＤ映像信号に変換されたアップコンバート映像信号あると検出された場合に、前記スケーリング手段を制御して前記入力映像信号の画素数を低減するための縮小処理を実行させる制御手段と、
を備えることを特徴とする映像信号処理装置。
【請求項１０】
請求項９に記載に映像信号処理装置において、前記入力映像信号がアップコンバート映像信号で、かつインタレース形式の場合に、前記制御手段は、前記スケーリング手段を制御して前記入力映像信号の画素数を低減するための縮小処理を実行させることを特徴とする映像信号処理装置。
【請求項１１】
入力されたデジタル映像信号を処理するための映像信号処理装置において、
前記入力デジタル映像信号がＳＤ映像信号からＨＤ映像信号に変換されたアップコンバート映像信号であるかを検出する第１の検出手段と、
前記入力デジタル映像信号の信号フォーマットを検出する第２の検出手段と、
前記入力デジタル映像信号を水平方向、垂直方向に縮小する第１のスケーリング手段と、
前記第１のスケーリング手段から出力されたデジタル映像信号を入力とし、インタレース映像信号をプログレッシブ映像信号に変換するＩＰ変換手段と、
前記ＩＰ変換手段から出力された映像信号を水平方向、垂直方向に縮小／拡大が可能な第２のスケーリング手段と、
前記第１、第２の検出手段の検出結果に基づいて、前記第１のスケーリング手段と、ＩＰ変換手段と、第２のスケーリング手段と、を制御するシステム制御手段を備え、
前記システム制御手段は、前記第１の検出手段によって前記入力デジタル映像信号が前記アップコンバート映像信号であると検出され、且つ前記第２の検出手段によって前記入力デジタル映像信号がインタレース映像信号であると検出された場合に、前記入力デジタル映像信号に対し画素数を低減させる縮小処理を行うように前記第１のスケーリング手段を制御し、更に前記ＩＰ変換手段を制御して該縮小処理された映像信号をプログレッシブ映像信号に変換するように制御することを特徴とする映像信号処理装置。
【請求項１２】
請求項１１に記載の映像信号処理装置において、前記インタレース形式の信号をプログレッシブ形式に変換された信号に基づき生成された映像信号は、ＳＤ映像信号からＨＤ映像信号に変換されたアップコンバート映像信号であることを特徴とする映像信号処理装置。
【請求項１３】
請求項１１に記載の映像信号処理装置において、更に、前記第２のスケーリング手段からの出力信号に基づき映像の表示を行う表示部を備え、
前記第２のスケーリング手段は、前記第１のスケーリング手段で縮小処理され、且つ前記ＩＰ変換手段でプログレッシブ映像信号に変換された信号に対し、前記表示部の解像度に対応した画素数に拡大または縮小処理を実行することを特徴とする映像信号処理装置。
【請求項１４】
入力された映像信号を処理するための映像信号処理装置において、
前記入力デジタル映像信号を水平方向、垂直方向に縮小する第１のスケーリング手段と、
前記第１のスケーリング手段から出力されたデジタル映像信号を入力とし、インタレース映像信号をプログレッシブ映像信号に変換するＩＰ変換手段と、
前記ＩＰ変換手段から出力された映像信号を水平方向、垂直方向に縮小／拡大が可能な第２のスケーリング手段と、
ユーザからの制御指示信号を入力とし、前記第１のスケーリング手段と、ＩＰ変換手段と、第２のスケーリング手段と、を制御するシステム制御手段を備え、
前記システム制御手段は、ユーザからの制御指示信号に従い、前記入力デジタル映像信号に対し画素数を低減させる縮小処理を行うように前記第１のスケーリング手段を制御し、前記ＩＰ変換手段を制御して該縮小処理された映像信号をプログレッシブ映像信号に変換し、更に、該プログレッシブ映像信号に変換された映像信号を前記第２のスケーリング手段によって拡大または縮小処理を実行させるように制御することを特徴とする映像信号処理装置。
【請求項１５】
請求項１４に記載の映像信号処理装置において、更に、前記第２のスケーリング手段からの出力信号に基づき映像の表示を行う表示部を備え、
前記第２のスケーリング手段は、前記第１のスケーリング手段で縮小処理され、且つ前記ＩＰ変換手段でプログレッシブ映像信号に変換された信号に対し、前記表示部の解像度に対応した画素数に拡大または縮小処理を実行することを特徴とする映像信号処理装置。
【発明の詳細な説明】
【技術分野】
【０００１】
本発明は、放送受信装置またはＤＶＤプレーヤなどの映像信号源から入力された映像信号に含まれるノイズ成分を除去するための技術に係わり、特に、インタレース形式の映像信号をプログレッシブ（順次走査）形式の映像信号に変換する際に生じたコーミングノイズを除去するための映像信号処理技術に関する。
【背景技術】
【０００２】
地上アナログ放送では、アスペクト比が４：３、走査線数が５２５本のＳＤ（Standard Definition）映像信号が放送されている。また、ＢＳ（Broadcasting Satellite）デジタル放送や地上デジタル放送では、主に、アスペクト比が１６：９で走査線数が１１２５本のＨＤ（High Definition）映像信号が放送されている。ＢＳデジタル放送や地上デジタル放送では、地上アナログ放送向けに作成されたコンテンツを再利用し、放送している場合がある。地上デジタル放送は地上アナログ放送と並列して放送されているため、この傾向が強い。このような場合、放送局側でＳＤ映像信号のコンテンツをＨＤ映像信号の画素数に増加させるアップコンバートを行って、信号フォーマットとしてはＨＤ映像信号として放送が行われることが多い（例えば、特許文献１参照）。なお、以下では、説明の都合上、「アップコンバートを行う」ことを「アップコンバートする」といい、「アップコンバートされた映像信号」を「アップコンバート映像信号」と呼ぶこととする。
【０００３】
前記のようなＳＤ映像信号をＨＤ映像信号にアップコンバートする際に、単純に拡大処理を行って画素数変換を行うのではなく、一旦、インタレース形式の映像信号（以下、「インタレース映像信号」と称する）であるＳＤ映像信号をプログレッシブ形式の映像信号（以下、「プログレッシブ映像信号」と称する）に変換するＩＰ（Interlace/Progressive）変換処理を行った後、所望の画素数に変換したほうがより高い解像度が得られることは周知の通りである。
【０００４】
ここで、放送局側では、インタレース映像信号をプログレッシブ映像信号した後に画素数変換してＨＤ信号とし、これを再度インタレース映像信号に変換する処理をすることによって、インタレース形式のＨＤ信号を送信する。このインタレース形式のＨＤ映像信号は、いわゆる「１０８０ｉ」と呼ばれ、有効走査線数が１０８０本のインタレース形式の信号であることを示している。現行のデジタル放送のフォーマットでは、１０８０本の有効走査線を有する映像信号は１０８０ｉと１０８０ｐ（プログレッシブ）の２種類が規定されているが、放送局側から送られるＨＤ信号の多くは、１０８０ｉである。
【０００５】
ＩＰ変換処理の方法としては、フィールド内のみで行うフィールド内補間処理や連続するトップ／ボトムフィールド画像を合成するフィールド間補間処理、１フレーム間での画素の変化から映像の動きを検出し、動画部分はフィールド内補間、静止画部分はフィールド間補間処理を行う動き適応補間処理等、様々な文献で紹介されている（例えば、特許文献２乃至３参照）。
【０００６】
【特許文献１】特開２００７−３１２０６１号公報
【特許文献２】特許２９０６３３２号公報
【特許文献３】特開２００６−１７４１２３号公報
【発明の開示】
【発明が解決しようとする課題】
【０００７】
しかしながら、ＩＰ変換処理を行う際に、固定的にフィールド間処理を行った場合や、動き適応補間処理において、性能が不十分で、動画部分の動き検出が正確に出来ず、動画部分に誤ってフィールド間補間処理を行ってしまった場合には、特許文献３で指摘されているように、コーミングノイズが発生する。
【０００８】
図１３は、コーミングノイズが発生する仕組みを示した説明図である。図１３（ａ）に示すように、黒い縦棒が図紙面左から右方向に水平移動している動画映像に対して、フィールド間補間を行った場合を例に用いて、コーミングノイズについて説明する。図１３（ｂ）は、図１３（ａ）の動画映像をインタレース形式で表した図であり、連続するトップ／ボトムフィールドの映像を示している。黒い棒が左から右に動いているため、連続したトップ／ボトムフィールドの映像は、１フィールド分の時間で動いた量だけずれた映像となる。図１３（ｃ）は、図１３（ｂ）のような映像に対してフィールド間補間でＩＰ変換を行った場合の映像を示している。このように、水平移動している映像のトップ／ボトムフィールドを重ね合わせてしまうと、上下に隣接する奇数ラインと偶数ラインの画素に時間的なズレが生じ、１ライン毎に水平方向にずれた映像が出来てしまう。この映像は、視覚上櫛の歯のように見えることからコーミングノイズと呼ばれている。
【０００９】
コーミングノイズは、映画ソースのインタレース映像信号に対しＩＰ変換を行った際に発生しやすいノイズである。映画ソースの映像をテレビジョン放送する場合、一般的に、２４コマのフィルム映像を６０コマに変換した２−３プルダウンのインタレース映像信号を用いる。しかしながら、例えば、特許文献２に記載のＩＰ変換処理を用いて、例えばプルダウンの位相を検出してフィールド間補間を行う場合に、プルダウンの位相の検出を誤ると、トップフィールドとボトムフィールドの組み合わせがズレてしまい、コーミングノイズが発生する。
【００１０】
以上述べたように、ＳＤ映像信号をＨＤ映像信号にアップコンバートする際に、ＩＰ変換処理を行うことにより高い解像度の画像が得られるが、ＩＰ変換回路の性能によってはコーミングノイズが発生してしまう場合がある。
【００１１】
テレビジョン放送受像機では、上記したコーミングノイズを考慮し、ＩＰ変換性能に優れたＩＰ変換回路を用いることにより、コーミングノイズを抑制することができる。しかしながら、例えば、放送局側でＳＤ信号をＨＤ信号にアップコンバートする際に用いられるＩＰ変換回路の性能が不十分な場合には、放送局から送出される、ＳＤ映像信号がアップコンバートされたＨＤ映像信号中にコーミングノイズが含まれることになる。このような場合には、従来のテレビジョン放送受像機では当該コーミングノイズを低減することはできず、表示装置の画面上にコーミングノイズがそのまま表示されることになる。実際、テレビジョン放送において、アップコンバート映像の放送を視聴していると、コーミングノイズが見られる場合がある。このようなケースは、アンテナを介して受信した放送番組映像信号ばかりではなく、例えば、インターネット網を介して取得した映像信号や、ＤＶＤプレーヤ／ＢＤプレーヤなどから出力される映像信号にコーミングノイズが含まれる場合も考えられる。つまり、これらの映像信号源から映像信号処理装置に入力される映像信号中にコーミングノイズが含まれている場合には、従来の映像信号処理装置では、コーミングノイズを低減することができない。
【００１２】
本発明は、上記した課題に鑑みてなされたもので、その目的は、映像信号に含まれるコーミングノイズを低減することができる映像信号処理装置を提供することにある。
【課題を解決するための手段】
【００１３】
上記目的を達成するための、本発明に係る映像処理装置は、入力映像信号からコーミングノイズに関する情報を検出し、入力映像信号にコーミングノイズが含まれている場合には、入力映像信号の画素数を低減するための縮小処理を実行するようにしたことを特徴とするものである。
【００１４】
また本発明は、コーミングノイズが上述したアップコンバート映像信号に含まれる可能性が高いことに着目し、入力映像信号がアップコンバート映像信号である場合に、当該入力映像信号の画素数を低減するための縮小処理を実行するようにしたことを特徴とするものである。
【００１５】
本発明の映像信号処理装置では、コーミングノイズが含まれる（もしくは含まれると予想される）入力映像信号に対してスケーリング手段によって縮小処理を行う。この縮小処理により、画素数を減らす際にコーミングノイズを含む画素も削減される（詳細は実施の形態の中で後述する）ので、コーミングノイズを低減することができることになる。そして、コーミングノイズが低減されたインタレース映像信号に対してＩＰ変換手段でＩＰ変換を行う。ＩＰ変換手段として十分性能が良好なものを使用すれば、このＩＰ変換ではコーミングノイズがほぼ生じないように抑えることができる。つまり、本発明の映像信号処理装置によれば、コーミングノイズを低減した良好な映像信号を得ることが出来る。
【発明の効果】
【００１６】
以上述べたように、本発明によれば、コーミングノイズを低減することができる映像信号処理装置を提供することができる。
【発明を実施するための最良の形態】
【００１７】
本発明の実施形態について、図を参照しながら説明する。なお、各図において、共通な機能を有する要素には同一な符号を付して示し、一度説明したものについては、その重複する説明を省略する。
【実施例１】
【００１８】
図１は、第１の実施例を示す映像信号処理装置のブロック図である。図１において、１００は本実施例による映像信号処理装置、１０１は映像信号処理装置１００にデジタル映像信号を入力する映像信号入力端子、１０２はコーミング検出回路、１０３はアップコンバート映像検出回路、１０４は入力された映像信号がＳＤ映像信号かＨＤ映像信号か、或いは、インタレース映像信号かプログレッシブ映像信号か検出する信号フォーマット検出回路、１０５はＣＰＵ（Central Processing Unit）等からなるシステム制御回路、１０６は第１のスケーリング回路、１０７はＩＰ変換回路、１０８は第２のスケーリング回路、１０９は第２のスケーリング回路から出力された映像信号に基づき映像表示を行う表示部であり、例えばＬＣＤパネルやＰＤＰパネルを含んで構成される。
【００１９】
本実施形態は、入力映像信号からコーミングノイズに関する情報を検出し、入力映像信号にコーミングノイズが含まれている場合には、入力映像信号の画素数を低減するための縮小処理を実行するものである。本発明者等による映像フォーマット別の画質評価によって、コーミングノイズは特に１０８０ｉのアップコンバート映像信号により多く含まれることが判明された。よって、コーミングノイズイを低減するための縮小処理は、入力映像信号にコーミングノイズが含まれている場合のみならず、入力映像信号の種類がアップコンバート映像信号のＨＤ信号で、かつインタレース形式である場合に実行することが好ましい。以下、この詳細について説明する。
【００２０】
図１は、本実施形態に係る映像処理装置の一例を示す図であり、同図において、図示しない映像信号源（例えば放送受信装置）から映像信号入力端子１０１より入力されたデジタル映像信号（以下、「入力映像信号」と省略する）は、コーミング検出回路１０２、アップコンバート映像検出回路１０３、信号フォーマット検出回路１０４および第１のスケーリング回路１０６に入力される。コーミング検出回路１０２では、入力映像信号の１フィールド（フレーム）期間内に、コーミングノイズと思われる画素領域（ブロック）がいくつあるかカウントする。アップコンバート映像検出回路１０３では、入力映像信号の１フィールド（フレーム）期間分のデータから、入力映像信号がアップコンバート映像信号か否か検出する。また、信号フォーマット検出回路１０４は、入力映像信号の同期信号周波数やデジタル放送に付加される信号フォーマット情報から、ＳＤ映像信号かＨＤ映像信号か、或いは、インタレース映像信号かプログレッシブ映像信号かを検出する。コーミング検出回路１０２、アップコンバート映像検出回路１０３、信号フォーマット検出回路１０４にて検出した結果は、システム制御回路１０５に入力される。
【００２１】
システム制御回路１０５は、入力されたコーミングノイズ検出結果とアップコンバート検出結果及び信号フォーマット検出結果に基づいて、第１のスケーリング回路１０６を制御する。具体的には、コーミングノイズ検出結果、アップコンバート検出結果、映像フォーマット検出結果に基づき、入力映像信号がアップコンバート映像信号で、ある一定数以上のコーミングノイズを有し、ＨＤ映像信号で且つ、インタレース映像信号であるか判断する。そして、所定数のコーミングノイズを有する、インタレース形式のアップコンバートされたＨＤ映像信号であると判断される場合に、第１のスケーリング回路１０６に対し、垂直及び水平方向の入力画素数を減らすように制御を行う。すなわち、入力映像の縮小を行う。この縮小処理によって、コーミングノイズの削減が行われ、コーミングノイズ成分が少ない映像信号が作成される（詳細は後述する）。また、そうでない場合には、第１のスケーリング回路１０６に対し、入力信号をそのままスルーさせるように制御する。
【００２２】
また、システム制御回路１０５は、信号フォーマット検出結果に応じて、ＩＰ変換回路１０７を制御し、インタレース映像信号と判断される場合のみＩＰ変換を行わせる。すなわち、第１のスケーリング回路１０６でコーミングノイズが低減されたインタレース映像信号に対し、ＩＰ変換性能に優れたＩＰ変換回路１０７によってＩＰ変換を行うことで、コーミングノイズの少ない、良好な画質の映像信号を得ることができる。ここで、ＩＰ変換性能に優れたＩＰ変換回路１０７とは、映像（または映像中の物体）の動きの検出精度が高いＩＰ変換回路１０７であり、動きの検出精度が高い（すなわち動き検出の誤りが少ない）ほどコーミングノイズが少ないプログレッシブ映像信号を得ることができる。
【００２３】
更に、システム制御回路１０５は、第１のスケーリング回路１０６、ＩＰ変換回路１０７の制御結果（例えば解像度）を考慮し、表示部１０９の解像度に合わせ、縮小／拡大処理を行うよう第２のスケーリング回路１０８の制御を行う。すなわち本実施例は、第２のスケーリング回路１０８で表示部１０９の解像度に合わせた拡大／縮小処理をする前に、コーミングノイズ低減のための画素数を低減する縮小処理を行うものである。
【００２４】
なお、システム制御回路１０５は、図示しないが、上記した制御処理を行うため、演算制御を行うＣＰＵ（Central Processing Unit）と、所定の処理を行うプログラムを格納するＲＯＭ（Read Only Memory）と、ワーキング用のＲＡＭ（Random Access Memory）と、データを記憶しておく不揮発性のメモリ等を含んで構成されているものとする。
【００２５】
次に、上記第１のスケーリング回路１０６の縮小処理によってコーミングノイズ成分が削減される動作について図を用いて説明する。図２は、第１のスケーリング回路によるコーミングノイズ低減の様子を説明する図である。なお、図２においては、映像信号を、１フレーム期間に描画される映像として模式的に示す。つまり、映像信号がインタレース信号の場合は、２フィールド分の映像、プログレッシブ信号の場合は、１フレーム分の映像を示すものとする。
【００２６】
図２において、図２（ａ）は、放送局側のＩＰ変換回路によって発生したコーミングノイズを含む映像信号を示す図である。解像度はもとのＳＤ画像である５２５Ｉ信号に対してＩＰ変換を行ったため５２５Ｐである。
【００２７】
図２（ｂ）は、放送局側にてＳＤ映像信号をＨＤ映像信号のインタレース映像信号に変換した場合の一例である。ここでは、５２５Ｐ信号を１１２５Ｉ信号に変換している。具体的には、５２５Ｐを１１２５Ｐのプログレッシブ映像信号に変換した上で、インタレース映像信号であるトップフィールド、ボトムフィールドに分けている。映像のスケーリングとしては、５２５Ｐの垂直映像幅である４８０ラインの映像を１１２５Ｐの垂直映像幅である１０８０ラインの映像に９／４倍に拡大した上で、トップ／ボトムフィールドに分離している。９／４倍のスケーリングとは、すなわち４ラインから９ラインの映像を作ることを示しており、ここでは、１ラインを２ラインに増やした処理を３回続けた後、１ラインから３ラインに増やす処理によってスケーリングを実現している。
【００２８】
図２（ｃ）は、第１のスケーリング回路１０６によって、縮小処理を行った映像信号の例である。ここでは、入力された１１２５Ｉの信号を５２５Ｉの信号まで縮小処理を行っている。映像のスケーリングとしては、１１２５Ｉの垂直映像幅である５４０ラインの映像を５２５Ｉの垂直映像幅である２４０ラインの映像に４／９倍の縮小処理を行っている。４／９倍のスケーリングとは、すなわち９ラインから４ラインの映像を作ることであり、ここでは、２ラインを１ラインに減らした処理を３回続けた後、３ラインから１ラインに減らす処理によってスケーリングを実現しており、点線分が縮小処理によって削減された映像ラインである。
【００２９】
図２（ｄ）は、第１のスケーリング回路１０６によって縮小された映像信号に対してＩＰ変換処理を行った例である。解像度は５２５Ｉの信号に対してＩＰ変換を行ったので５２５Ｐとなっている。
【００３０】
放送局では、ＳＤ映像信号をＨＤ映像信号にアップコンバートして放送する際にＩＰ変換処理を行っている場合、ＩＰ変換の性能によっては、図２（ａ）のようなコーミングノイズを含んだ映像信号を作成してしまう。このコーミングノイズを含んだ映像信号は、アップコンバートによるスケーリング処理によって図２（ｂ）の状態で放送される。テレビジョン放送受像機の放送受信装置（図示せず）では、この状態の映像信号を受信するので、放送受信装置から映像信号処理装置に入力される映像信号にコーミングノイズが含まれることになる。本実施例の映像信号処理装置１００では、図２（ｂ）の状態の映像信号に対し縮小処理を行うことで、映像信号の間引きを行う。この際に、図２（ｃ）の点線部のように、コーミングノイズが含まれる映像が間引きされる。結果として、コーミングノイズが削減された映像信号を得ることができる。
【００３１】
このコーミングノイズを削減した映像信号に対してＩＰ変換を行うと図２（ｄ）に示すような映像信号が得られる。図２（ａ）と図２（ｄ）とを比べると、元々存在していたコーミングノイズが削減されていることがよく分かる。また、本説明では割愛したが、縮小処理を行う場合は、折り返し歪みを低減するため、ローパスフィルタによる帯域制限処理を行うのが一般的である。このため、図２（ｄ）で残っているコーミングノイズに対してローパスフィルタ処理が施されることで、周辺の画素との補間が行われ、残っているコーミングノイズについても、図２（ｄ）に比べればノイズ成分は低減される。以上のように、縮小処理によってコーミングノイズ成分が低減されることを利用し、本実施例では、コーミングノイズの低減を行う。
【００３２】
次に、コーミング検出回路１０２の動作について図を用いて説明するが、その前に、その構成について述べる。
【００３３】
図３は、コーミング検出回路の一実施例を示すブロック図である。図３において、３０１,３０２はデジタル映像信号データを１ライン分保持することが出来るラインメモリ、３０３，３０４，３０５，３０６，３０７，３０８はデジタル映像信号データを１画素分保持することができるフリップフロップ回路、３０９は入力されたデジタル映像信号からコーミングノイズを判定するコーミング判定回路、３１０はコーミングノイズと判断した回数を１フィールド（フレーム）分カウントするカウンタ回路である。なお、図３において、入力されたデジタル映像信号の垂直／水平同期信号やこれらに同期したクロック信号の記載は、図示を簡単とするため省略してある。
【００３４】
次に、コーミング検出回路１０２の動作について説明する。入力されたデジタル映像信号（以下、疑義が生じない限りデジタル映像信号を「映像信号」という）Ｓ３０１は、ラインメモリ３０１と、コーミング判定回路３０９と、フリップフロップ回路３０３に入力される。フリップフロップ回路３０３は、入力された映像信号Ｓ３０１に対し１クロック前（１クロック過去）の映像信号Ｓ３０２を出力し、映像信号Ｓ３０２は、フリップフロップ回路３０４と、コーミング判定回路３０９に入力される。フリップフロップ回路３０４は、映像信号Ｓ３０１に対し２クロック前（２クロック過去）の映像信号Ｓ３０３を出力し、映像信号Ｓ３０３は、コーミング判定回路３０９に入力される。以上により、同一ライン上の連続した３つの映像信号Ｓ３０１，Ｓ３０２，Ｓ３０３のデータがコーミング判定回路３０９に入力される。
【００３５】
ラインメモリ３０１は、入力された映像信号Ｓ３０１と同じ水平タイミングの１ライン前（１ライン過去）の映像信号Ｓ３０４を出力し、映像信号Ｓ３０４はコーミング判定回路３０９とフリップフロップ回路３０５とラインメモリ３０２とに入力される。以下、同様にして、映像信号Ｓ３０１を基準とし、１ライン前（１ライン過去）の連続した映像信号Ｓ３０４，Ｓ３０５，Ｓ３０６、及び、２ライン前（２ライン過去）の連続した映像信号Ｓ３０７，Ｓ３０８，Ｓ３０９がコーミング判定回路３０９に入力される。
【００３６】
コーミング判定回路３０９は、入力された映像信号Ｓ３０１，Ｓ３０２，Ｓ３０３，Ｓ３０４，Ｓ３０５，Ｓ３０６，Ｓ３０７，Ｓ３０８，Ｓ３０９を用いて、コーミングノイズを検出すると、コーミングノイズを検出する度にコーミング検出パルスＳ３１０をカウンタ回路３１０に出力する。カウンタ回路３１０は、入力されたコーミング検出パルスＳ３１０をカウントすると共に、入力された映像信号Ｓ３０１の垂直同期信号（図示せず）の周期でカウンタ値Ｓ３１１を出力することで、１フィールド（１フレーム）間のコーミングノイズの量を出力する。そして、カウンタ値Ｓ３１１を出力後、カウンタのリセットを行い、次の１フィールド(フレーム)分のコーミングノイズの量をカウントする。
【００３７】
次に、図４を用いて、コーミング判定回路３０９の動作について説明する。図４は、コーミング判定回路の動作を説明する図であり、図４（ａ）はコーミング判定回路に入力された映像信号Ｓ３０１乃至Ｓ３０９の画素配列を示す図、図４（ｂ）はコーミングノイズを有する図２（ｂ）のトップフィールド（奇数フィールド）を再記したものである。なお以下では、便宜上、コーミング検出回路１０２に、映像信号Ｓ３０１として、図４（ｂ）に示すトップフィールドの映像が入力されたものとして説明するが、これに限定されるものではなく、ボトムフィールド（偶数フィールド）であってもよい。図４（ｃ）は図４（ｂ）のＡ部における映像信号Ｓ３０１乃至Ｓ３０９の画素配列を示す図、図４（ｄ）は図４（ｂ）のＢ部における映像信号Ｓ３０１乃至Ｓ３０９の画素配列を示す図である。
【００３８】
図４（ａ）では、コーミング判定回路３０９に入力される映像信号Ｓ３０１乃至Ｓ３０９が示す各画素配列を、映像信号Ｓ３０１の画素位置を基準に示している。今、映像信号Ｓ３０１の画素の位置が、水平方向で列ｍ，垂直方向（ライン方向）でラインｎである時点（タイミング）を基準とするものとする。すると、図４（ａ）のように、ラインｎ，ｎ−１，ｎ−２と列ｍ，ｍ−１，ｍ−２とで形成される３ライン，３列の各交点に位置する各画素は次のように解釈される。すなわち、各ライン上の列ｍ−１上の画素は、隣接する列ｍの画素（例えば、映像信号Ｓ３０１の画素）に対して１画素前（過去）に入力された映像信号の画素（例えば、映像信号Ｓ３０２の画素）に対応し、列ｍ−２上の画素は、隣接する列ｍ−１の画素に対して１画素前（過去）、つまり列ｍの画素に対して２画素前（過去）に入力された映像信号の画素（例えば、映像信号Ｓ３０３の画素）に対応することになる。また、ラインｎ−１は、ラインｎに対して１ライン前（過去）のラインに対応し、ラインｎ−２は、ラインｎ−１に対して１ライン前（過去）のライン、つまりラインｎに対して２ライン前（過去）のラインに対応することになる。
【００３９】
従って、例えば、映像信号Ｓ３０４は、図３から明らかなように、映像信号Ｓ３０１に対して１ライン前（過去）の映像信号であるので、映像信号Ｓ３０４の画素位置はラインｎ−１と列ｍの交差する位置となる。また、映像信号Ｓ３０５は、映像信号Ｓ３０４に対して、１画素前（過去）の映像信号であるので、映像信号Ｓ３０５の画素位置はラインｎ−１と列ｍ−１の交差する位置となる。また、映像信号Ｓ３０６は、映像信号Ｓ３０５に対して、１画素前（過去）の映像信号であるので、映像信号Ｓ３０６の画素位置はラインｎ−１と列ｍ−２の交差する位置となる。同様に、映像信号Ｓ３０１，Ｓ３０２，Ｓ３０３の各画素は、それぞれ、ラインｎ上の列ｍ，列ｍ−１，列ｍ−２に位置し、映像信号Ｓ３０７，Ｓ３０８，Ｓ３０９の各画素は、それぞれ、ラインｎ−２上の列ｍ，列ｍ−１，列ｍ−２に位置することとなる。
【００４０】
ここで、各画素は、ラインと列の交点に対応するので、例えば、映像信号Ｓ３０１が示す画素を（ｍ，ｎ）で表記するとすると、映像信号Ｓ３０１〜Ｓ３０９の各画素は、上記説明から、数１のように表記することができる。
【００４１】
【数１】
2010081461.tif 000003
次に、コーミングノイズを有する図４（ｂ）のＡ部における、コーミング判定回路３０９に入力された映像信号Ｓ３０１乃至Ｓ３０９の画素配列を示す図４（ｃ）を用いて、コーミング判定回路３０９の動作を説明する。ここでも、映像信号Ｓ３０１の画素が（ｍ，ｎ）であるとして説明する。
【００４２】
コーミング判定回路３０９は、図４（ｃ）に示す画素配列において、入力された９個の映像信号Ｓ３０１乃至Ｓ３０９のそれぞれの画素について、垂直方向に隣接する画素との差分の絶対値および水平方向に隣接する画素との差分の絶対値を算出し、当該算出値から、各画素（映像信号）間の相関を判断し、コーミングノイズが有ると判断される。例えば図４（ｃ）のような画素配列か判断する。すなわち、前記、差分の絶対値が定めた閾値より大きければ、差分を取った画素（映像信号）間は相関が弱い（相違が多い）と判断し、差分の絶対値が定めた閾値より小さければ、差分を取った画素（映像信号）間は相関が強い（相違が少ない）と判断する。数２，数３に、図４（ｃ）の判断例を示す。なお、ＡＢＳ（）は、（）内の映像信号の画素の差分の絶対値を示し、”強”は相関が強い、”弱“は相関が弱いと判断したこと示す。図４（ｃ）では、黒丸で図４（ｂ）Ａ部の黒画素を示し、白丸で図４（ｂ）Ａ部の白画素を示す。
＜水平方向の確認＞
【００４３】
【数２】
2010081461.tif 000004
＜垂直方向の確認＞
【００４４】
【数３】
2010081461.tif 000005
上記数２，数３の判定結果から、図４（ｂ）Ａ部では、垂直方向の上下に隣接する画素間、具体的には、隣接する映像信号Ｓ３０５の画素とＳ３０２，Ｓ３０８の画素間、および、映像信号Ｓ３０６の画素とＳ３０３，Ｓ３０９の画素間に相関が弱い（相違が大きい）箇所があり、かつ、水平方向の画素間、具体的には、映像信号Ｓ３０５の画素とＳ３０４の画素間で相関が弱く（相違が大きく）、映像信号Ｓ３０５の画素とＳ３０６の画素間で相関が強い（相違が小さい）箇所があると判断できる。従って、これらの相関関係から、Ａ部にコーミングノイズが有ると見なすことができる。
【００４５】
また、図４（ｂ）のＢ部における映像信号Ｓ３０１乃至Ｓ３０９の画素配列を示す図４（ｄ）の場合は、その判定結果は数４，数５の通りである。なお、図４（ｄ）においても、説明の都合上、映像信号Ｓ３０１の画素が（ｍ，ｎ）であるとする。また、黒丸で図４（ｂ）Ｂ部の黒画素を示し、白丸で図４（ｂ）Ｂ部の白画素を示す。
＜水平方向の確認＞
【００４６】
【数４】
2010081461.tif 000006
＜垂直方向の確認＞
【００４７】
【数５】
2010081461.tif 000007
上記数４，数５の判定結果から、図４（ｂ）Ｂ部では、垂直方向の上下に隣接する画素間、具体的には、隣接する映像信号Ｓ３０５の画素とＳ３０２，Ｓ３０８の画素間、および、映像信号Ｓ３０４の画素とＳ３０１，Ｓ３０７の画素間に相関が弱い（相違が大きい）箇所があり、かつ、水平方向の画素間、具体的には、映像信号Ｓ３０５の画素とＳ３０６の画素間で相関が弱く（相違が大きく）、映像信号Ｓ３０５の画素とＳ３０４の画素間で相関が強い（相違が小さい）箇所があると判断できる。従って、これらの相関関係から、Ｂ部にコーミングノイズが有ると見なすことができる。
【００４８】
以上のように、コーミング判定回路３０９は、例えば図４（ｃ），（ｄ）のように、３ライン３列の映像信号の画素配列に対して、映像信号間の相関から、コーミングノイズの有無を判定することができる。
【００４９】
次に、アップコンバート映像検出回路１０３の動作について図を用いて説明する。図５は、アップコンバート映像検出回路の一実施例を示すブロック図である。図５において、５０１は任意に定めた周波数帯域の信号を通過させる第１のバンドパスフィルタ回路（以下、バンドパスフィルタ回路を「ＢＰＦ」と記す）、５０２は任意に定めた周波数帯域の信号を通過させる第２のＢＰＦ、５０３は任意に定めた周波数帯域の信号を通過させる第３のＢＰＦ、５０４はアップコンバート映像判定回路である。各ＢＰＦ５０１、５０２、５０３は、それぞれ異なる周波数帯域を通過周波数とし、その一例を図６に示す。この例では、図６から明らかなように、第１のＢＰＦ５０１の通過周波数帯域はＳＤ映像信号の持ちうる低周波数の範囲であり、第２のＢＰＦ５０２の通過周波数帯域はＳＤ映像信号及びＨＤ映像信号両方で持ちうる周波数範囲であり、第３のＢＰＦ５０３の通過周波数帯域はＨＤ映像信号でのみ持ちうる高周波数の範囲である。
【００５０】
次に、アップコンバート映像検出回路１０３の動作について説明する。入力された映像信号は各ＢＰＦ５０１，５０２，５０３を経て、アップコンバート映像判定回路５０４に入力される。アップコンバート映像判定回路５０４は、入力映像信号の１フィールド（フレーム）分の各ＢＰＦからの映像信号の累積和を算出する。算出された累積和のデータは、大きいほどその周波数帯の信号が多いことを示している。この算出値が、高い周波数帯の信号が多ければ、通常のＨＤ信号である可能性が高く、低い周波数帯の信号が多ければ、アップコンバート映像である可能性が高い。アップコンバート映像判定回路５０４では、各ＢＰＦ出力の累積和に対して、任意に定めた閾値以上であるか否かを判断し、その結果からアップコンバート映像判定を行う。以下に、アップコンバート映像と判断する一例を示す。なお、Ｎ１，Ｎ２，Ｎ３は、それぞれ任意に定めた閾値とする。
【００５１】
【数６】
2010081461.tif 000008
上記数６の判定は、ＳＤ映像信号に多く含まれる低い周波数帯の映像信号が閾値Ｎ１より多く、また、ＳＤ，ＨＤ映像信号の両信号に含まれると思われる中間の周波数帯の映像信号が閾値Ｎ２未満、ＨＤ映像信号のみに含まれる高い周波数帯の映像信号が閾値Ｎ３未満であることを示している。このような条件を満たした場合、アップコンバート映像判定回路５０４は入力された映像信号がアップコンバート映像だと判断し、条件を満たさない場合は、通常信号（非アップコンバート映像）と判断し、その結果を出力する。
【００５２】
次に、システム制御回路１０５の動作について詳しく説明する。システム制御回路１０５は、例えばＣＰＵ等で構成される回路であり、入力映像信号の垂直同期信号の周期でコーミング検出回路１０２、アップコンバート映像検出回路１０３からの各検出結果を取得する。また、信号フォーマット検出回路１０４から、入力映像信号の信号フォーマット検出結果を取得し、入力信号がＳＤ映像信号かＨＤ映像信号か、或いは、インタレース映像信号かプログレッシブ映像信号か判断し、第１のスケーリング回路１０６によって縮小処理を行う対象映像信号であるか否かを判断する。なお、縮小処理を行う対象映像信号とは、インタレース形式のＨＤ映像信号を指す。以上の判定結果が、コーミングノイズ有で且つ、アップコンバート映像で且つ、縮小処理対象と判定でき、その状態が任意に定めた一定時間継続した場合に、縮小処理によるコーミングノイズ低減を行う。以下、システム制御回路１０５の各判定動作について詳細に説明する。
【００５３】
先ず、コーミングノイズ判定処理から説明する。図７は、コーミングノイズ判定処理の一実施例を示すフロー図である。図７において、システム制御回路１０５は、コーミングノイズ判定処理を開始すると、ステップ（以下、ステップを「ＳＴ」と記す）７０１で、コーミング検出回路１０２からのコーミングノイズ量（コーミング検出結果）を取得する。そして、ＳＴ７０２において、コーミングノイズ量が任意に定めた所定の閾値Ｎｃ以上であるか判定する。判定がＹｅｓ（はい）で、コーミングノイズ量（検出値）がＮｃ以上であればＳＴ７０３に進み、ＳＴ７０３にてコーミングノイズ有と判定し、処理を終了する。また、ＳＴ７０２の判定がＮｏ（いいえ）で、コーミングノイズ量（検出値）がＮｃ未満であればＳＴ７０４に進み、ＳＴ７０４にてコーミング無と判定し、処理を終了する。なお、システム制御回路１０５は、上記したコーミングノイズ判定処理を、入力された映像信号の垂直同期信号の周期に合わせて実施する。
【００５４】
次に、アップコンバート映像判定処理について説明する。図８は、アップコンバート映像判定処理の一実施例を示すフロー図である。図８において、システム制御回路１０５は、アップコンバート映像判定処理を開始すると、ＳＴ８０１で、アップコンバート映像判定回路１０３からのアップコンバート映像検出結果を取得する。そして、ＳＴ８０２において、アップコンバート映像検出結果がアップコンバート映像であるか判定する。判定がＹｅｓ（はい）で、アップコンバート映像検出結果がアップコンバート映像を示すデータであればＳＴ８０３に進み、ＳＴ８０３にてアップコンバート映像と判定し、処理を終了する。また、ＳＴ８０２の判定がＮｏ（いいえ）で、アップコンバート映像検出結果が通常信号を示すデータであればＳＴ８０４に進み、通常信号と判定し、処理を終了する。なお、なお、システム制御回路１０５は、上記したアップコンバート映像判定処理を、入力された映像信号の垂直同期期間（以下、「１Ｖ期間」と略記する）に例えば１回実施する。
【００５５】
次に、信号フォーマット判定処理について説明する。図９は、信号フォーマット判定処理の一実施例を示すフロー図である。図９において、システム制御回路１０５は、信号フォーマット判定処理を開始すると、ＳＴ９０１で、信号フォーマット検出回路１０４からの信号フォーマット検出結果を取得する。そして、ＳＴ９０２において、信号フォーマットがインタレース形式か判定する。判定がＹｅｓ（はい）で、信号フォーマットがインタレース形式である場合、ＳＴ９０３に進み、判定がＮｏ（いいえ）で信号フォーマットがプログレッシブ形式の場合はＳＴ９０５に進む。ＳＴ９０５に進んだ場合は、縮小非対象信号と判定し、処理を終了する。ＳＴ９０３に進んだ場合は、信号フォーマットがＨＤ映像信号か判定し、判定がＹｅｓ（はい）でＨＤ映像信号であればＳＴ９０４に進み、縮小対象信号と判定し、処理を終了する。ＳＴ９０３の判定がＮｏ（いいえ）でＳＤ映像信号であればＳＴ９０５に進み、縮小非対象信号と判定し、処理を終了する。なお、システム制御回路１０５は、上記した信号フォーマット判定処理を、入力された映像信号の１Ｖ期間に例えば１回実施する。
【００５６】
次に、第１のスケーリング回路の制御処理について説明する。なお、本実施例における第１のスケーリング回路の制御処理は、縮小処理の仮判定処理と、縮小処理の確定判定処理とを含んでなる。しかし、これに限定されるものではない。
【００５７】
図１０は、第１のスケーリング回路の制御処理の一実施例を示すフロー図である。同図（ａ）は縮小処理の仮判定処理を示し、同図（ｂ）は縮小処理の確定判定処理を示す。
【００５８】
システム制御回路１０５は、第１のスケーリング回路１０６の制御処理を開始すると、先ず、図１０（ａ）に示す縮小処理の仮判定処理を行う。すなわち、ＳＴ１００１において、コーミングノイズ判定結果を確認し、コーミングノイズ有であればＳＴ１００２に進み、否であればＳＴ１００５に進む。システム制御回路１０５は、ＳＴ１００２では、アップコンバート映像判定結果を確認し、アップコンバート映像であればＳＴ１００３に進み、否であればＳＴ１００５に進む。ＳＴ１００３では、信号フォーマット判定に基づく縮小対象映像信号判定結果を確認し、縮小対象映像信号であればＳＴ１００４に進み、否であればＳＴ１００５に進む。システム制御回路１０５は、ＳＴ１００４では、仮に縮小制御ＯＮと判定し、縮小処理の仮判定処理を終了する。ＳＴ１００５には、各判定処理ＳＴ１００１，１００２，１００３にて否と判断した場合に到達し、この場合は、仮に縮小制御ＯＦＦと判定し、縮小処理の仮判定処理を終了する。なお、縮小制御ＯＮ，縮小制御ＯＦＦの仮判定情報は、システム制御手段１０５を構成する図示しないメモリに格納される。
【００５９】
システム制御回路１０５は、上記した縮小処理の仮判定処理を、入力された映像信号の垂直同期信号（図示せず）の周期に合わせ、１Ｖ期間に例えば１回実行すると共に、上記した仮判定が所定時間安定しているかをみて最終判定とする図１０（ｂ）に示す確定判定処理を１Ｖ期間に例えば１回実行する。なお、仮判定の継続時間は、例えば、システム制御手段１０５を構成する図示しないメモリに格納されている仮判定情報の個数（例えばカウント数）と垂直同期期間（１Ｖ期間）との積により算出することができる。
【００６０】
すなわち、システム制御回路１０５は、縮小処理の確定判定処理を開始すると、ＳＴ１０１１で縮小処理ＯＮの仮判定が有るか確認する。縮小処理ＯＮの仮判定が無ければＳＴ１０１４に進み、有ればＳＴ１０１２に進む。ＳＴ１０１２では、縮小制御ＯＮの仮判定の状態が縮小制御ＯＮ状態が安定したと見なせる所定の時間Ｔｏｎ以上経過しているかを判定し、経過していれば縮小制御ＯＮと最終判断してＳＴ１０１３に進み、第１のスケーリング回路１０６に対し縮小処理を行わせ、第１のスケーリング回路の縮小制御処理を終了する。また、ＳＴ１０１２の判定が否で、縮小制御ＯＮ状態が安定したと見なせる所定の時間Ｔｏｎが経過していない段階であり、ＳＴ１０１６に進む。
【００６１】
システム制御回路１０５は、ＳＴ１０１４では、縮小制御ＯＦＦの仮判定の状態が縮小制御ＯＦＦ状態が安定したと見なせる所定の時間Ｔｏｆｆ以上経過しているかを判定し、経過していれば縮小制御ＯＦＦと最終判断してＳＴ１０１５に進み、第１のスケーリング回路１０６に対し縮小処理を行わせず、そのままスルーさせ、第１のスケーリング回路の縮小制御処理を終了する。また、ＳＴ１０１５の判定が否で、縮小制御ＯＦＦ状態が安定したと見なせる所定の時間Ｔｏｆｆが経過していない段階であれば、ＳＴ１０１６に進む。システム制御回路１０５は、ＳＴ１０１６では、図１０（ａ）での仮判定の基となる判定条件が一定時間以上安定していない段階と判断し、縮小処理状態は前回の状態のまま保持し、第１スケーラ回路１０６の制御を行わず、処理を終了する。
【００６２】
このように、システム制御回路１０５は、第１のスケーリング回路の制御処理に関し、図１０（図１０（ａ）および図１０（ｂ））に示した処理を、入力された映像信号の垂直同期信号（図示せず）の周期に合わせ、１Ｖ期間に例えば１回を単位として、縮小制御ＯＮまたは縮小制御ＯＦＦが確定するまで実行する。そして、以降、縮小制御ＯＮまたは縮小制御ＯＦＦが確定する毎に、逐次、図１０の処理を繰り返す。
【００６３】
システム制御回路１０５は、上記した一連のコーミングノイズ判定処理，アップコンバート映像判定処理，信号フォーマット判定処理及び第１のスケーリング回路１０６の制御に続き、信号フォーマット検出回路１０４からの検出結果に基づき、インタレース映像信号と判断できる場合にのみ、ＩＰ変換回路１０７を制御し、ＩＰ変換処理を行うよう制御する。更に、第１のスケーリング回路１０６，ＩＰ変換回路１０７の制御結果を考慮し、後段に存在する表示デバイス（図示せず）の解像度に合わせて縮小／拡大処理を行うよう第２のスケーリング回路１０８の制御を行う。
【００６４】
以上の動作により、放送局側のＩＰ変換処理によって発生したコーミングノイズを含んだアップコンバート映像に対し、コーミングノイズを低減し、受信機側で定めた高性能のＩＰ変換を行うことで、放送局側のＩＰ変換性能によらず、良好な映像信号を得ることができる。
【００６５】
なお、本実施例において、アップコンバート映像検出回路１０３は、ＢＰＦを利用して、入力映像信号に含まれる周波数分布からアップコンバート映像を判断するようにしたが、他の方法にて検出しても構わない。他の方法の一例としては、アップコンバート映像は、アスペクト比４：３の動画部の左右にブランキングを付加して１６：９の映像としている場合が多く、この左右のブランキングを検出することでアップコンバート映像と判断しても構わない。
【００６６】
また、上記実施例では、コーミングノイズの検出、入力映像信号がアップコンバート映像信号か否かの検出、及び入力映像信号がインタレース形式か否かを検出することで縮小処理を行うようにしたが、コーミングノイズの検出のみで縮小処理を行うようにしてもよいことは明らかである。また、入力映像信号の種類／フォーマットを検出する場合も、入力映像信号がアップコンバート映像信号か否かを検出するみでよい。上述のように、放送局側から放送されるＨＤ映像信号は１０８０ｉが多いが、１０８０ｐのフォーマットで放送される場合もある。１０８０ｐも放送局側でＩＰ変換処理が為されるので、入力映像信号がインタレース形式か否かを検出することなく、アップコンバート映像信号か否かの判定により縮小処理を行うようにしてもよい。
【００６７】
更にまた、上記の実施例では、映像処理装置として表示部１０９を備えた例えばテレビジョン受像機等の表示装置を例にしたが、これに限られるものではなく、表示部がない映像信号処理装置、例えばデジタル放送を受信するチューナを含むＳＴＢ(Set Top Box)やＨＤＤレコーダなどにも適用できることは言うまでもない。
【実施例２】
【００６８】
図１１は、第２の実施例を示す映像信号処理装置のブロック図である。なお、図１１において、図１と同じ機能を有する要素には、図１と同一符号を用いて示す。
【００６９】
図１１において、１１００は本実施例による映像信号処理装置、１０１は映像信号処理装置１１００に映像信号を入力する映像信号入力端子、１０３はアップコンバート映像検出回路、１０４は入力された映像信号がＳＤ映像信号かＨＤ映像信号か、或いは、インタレース映像信号かプログレッシブ映像信号か検出する信号フォーマット検出回路、１１０５はＣＰＵ等からなるシステム制御回路、１０６は第１のスケーリング回路、１０７はＩＰ変換回路、１０８は第２のスケーリング回路、１０９は第２のスケーリング回路から出力された映像信号に基づき映像表示を行う表示部である。
【００７０】
次に、第２の実施例における動作について説明する。本実施例は、前記した第１の実施例からコーミング検出回路１０２を削除したものである。システム制御回路１１０５は、システム制御回路１０５からコーミング判定に関する処理を省き、第１のスケーリング回路１０６、ＩＰ変換回路１０７、第２のスケーリング回路１０８の制御を行う。すなわち、アップコンバート映像検出回路１０３，信号フォーマット検出回路１０４からの検出結果のみを用いて、入力映像信号がアップコンバート映像信号で且つ、ＨＤ映像信号でインタレース映像信号の場合に、縮小処理によるコーミングノイズ低減を行う。
【００７１】
本実施例では、入力映像信号がアップコンバートされたインタレース形式のＨＤ映像信号であれば、縮小処理を行うので、映像信号源から入力される映像信号にコーミングノイズが含まれてない場合でも、第１のスケーリング回路でコーミング低減を行う事になる。しかしながら、大きな画質劣化を招く事もなく、第１の実施例よりも簡易的に（つまり、回路構成を簡略化して、コスト低減を図りながら）、映像信号源の映像信号に含まれるコーミングノイズを低減することができる。
【００７２】
この実施例でも、アップコンバート映像信号か否かの検出のみで、入力映像信号がインタレース形式か否かの検出を省略してもよい。
【実施例３】
【００７３】
図１２は、第３の実施例を示す映像信号処理装置のブロック図である。なお、図１２において、図１と同じ機能を有する要素には、図１と同一符号を用いて示す。
【００７４】
図１２において、１２００は本実施例による映像信号処理装置、１０１は映像信号処理装置１２００に映像信号を入力する映像信号入力端子、１２０５はＣＰＵ等からなるシステム制御回路、１０６は第１のスケーリング回路、１０７はＩＰ変換回路、１０８は第２のスケーリング回路、１０９は第２のスケーリング回路から出力された映像信号に基づき映像表示を行う表示部で、Ｓ１２０１は、ユーザからの制御切り換え信号である。
【００７５】
次に、第３の実施例における動作について説明する。本実施例は、前記した第１の実施例からコーミング検出回路１０２，アップコンバート映像検出回路１０３，信号フォーマット検出回路１０４を削除し、代わりにユーザからの制御切り換え信号Ｓ１２０１をシステム制御回路１２０５に入力するようにしたものである。システム制御回路１２０５は、ユーザからの制御切り換え信号Ｓ１２０１によって第１のスケーリング回路１０６、ＩＰ変換回路１０７、第２のスケーリング回路１０８の制御を行う。制御切り換え信号Ｓ１２０１は、本実施例の映像信号処理装置が搭載される機器の持つＯＳＤ（On Screen Display）メニュー等を用いて、ユーザが所定の指示（例えば、コーミングノイズ低減指示）を行う信号である。本実施例では、入力映像の内容にかかわらず、ユーザからコーミングノイズ低減の指示があれば、コーミングノイズの有無に関わらず、縮小処理によるコーミングノイズ低減を行う。
【００７６】
本実施例では、コーミング検出回路１０２，アップコンバート映像検出回路１０３，信号フォーマット検出回路１０４がなく、マニュアルでコーミングノイズを低減するので、コストアップを抑えながら、コーミングノイズを低減することができる。
【産業上の利用可能性】
【００７７】
本発明を例えばテレビジョン受信機に搭載することにより、デジタル放送等で放送されているアップコンバート映像に含まれるコーミングノイズを低減し、良好な映像を視聴することが出来る。
【図面の簡単な説明】
【００７８】
【図１】第１の実施例を示す映像信号処理装置のブロック図である。
【図２】第１のスケーリング回路によるコーミングノイズ低減の様子を説明する図である。
【図３】コーミング検出回路の一実施例を示すブロック図である。
【図４】コーミング判定回路の動作を説明する図である。
【図５】アップコンバート映像検出回路の一実施例を示すブロック図である。
【図６】アップコンバート映像検出回路の動作を説明する図である。
【図７】コーミングノイズ判定処理の一実施例を示すフロー図である。
【図８】アップコンバート映像判定処理の一実施例を示すフロー図である。
【図９】信号フォーマット判定処理の一実施例を示すフロー図である。
【図１０】第１のスケーリング回路の制御処理の一実施例を示すフロー図である。
【図１１】第２の実施例を示す映像信号処理装置のブロック図である。
【図１２】第３の実施例を示す映像信号処理装置のブロック図である。
【図１３】コーミングノイズが発生する仕組みを示した説明図である。
【符号の説明】
【００７９】
１００  映像信号処理装置
１０１  映像信号入力端子
１０２  コーミング検出回路
１０３  アップコンバート映像検出回路
１０４  信号フォーマット検出回路
１０５  システム制御回路
１０６  第１のスケーリング回路
１０７  ＩＰ変換回路
１０８  第２のスケーリング回路
１０９  表示部
３０１  ラインメモリ
３０２  ラインメモリ
３０３  フリップフロップ回路
３０４  フリップフロップ回路
３０５  フリップフロップ回路
３０６  フリップフロップ回路
３０７  フリップフロップ回路
３０８  フリップフロップ回路
３０９  コーミング判定回路
３１０  カウンタ回路
５０１  第１のバンドパスフィルタ
５０２  第２のバンドパスフィルタ
５０３  第３のバンドパスフィルタ
５０４  アップコンバート映像判定回路
１１００  映像信号処理装置
１１０５  システム制御回路
１２００  映像信号処理装置
１２０５  システム制御回路
【図１】
2010081461.tif 000009
【図２】
2010081461.tif 000010
【図３】
2010081461.tif 000011
【図４】
2010081461.tif 000012
【図５】
2010081461.tif 000013
【図６】
2010081461.tif 000014
【図７】
2010081461.tif 000015
【図８】
2010081461.tif 000016
【図９】
2010081461.tif 000017
【図１０】
2010081461.tif 000018
【図１１】
2010081461.tif 000019
【図１２】
2010081461.tif 000020
【図１３】
2010081461.tif 000021